(57)【要約】【課題】種々の情報や操作キーを表すオブジェクト画像によって視認性が劣化していた地図画像の部分について、ユーザの任意な操作によって視認性を向上させること。【解決手段】表示装置は、表示部１０１、受付部１０２、および制御部１０３を備える。表示部１０１は、地図画像とともに、種々の情報や操作キーを表すオブジェクト画像を表示画面に表示する。受付部１０２は、表示画面に表示されたオブジェクト画像の指定を所定の指定方式によって外部から受け付ける。制御部１０３は、受付部１０２が所定の指定方式によってオブジェクト画像の指定を受け付けた場合に、オブジェクト画像の表示部分に対応する地図画像を表示するように表示部１０１を制御する。【選択図】図１
2007241892.tif 000002
【特許請求の範囲】
【請求項１】
地図画像とともに、種々の情報や操作キーを表すオブジェクト画像を表示画面に表示する表示手段と、
前記表示画面に表示されたオブジェクト画像の指定を所定の指定方式によって外部から受け付ける受付手段と、
前記受付手段が前記所定の指定方式によってオブジェクト画像の指定を受け付けた場合に、当該オブジェクト画像の表示部分に対応する前記地図画像を表示するように前記表示手段を制御する制御手段と、
を備えることを特徴とする表示装置。
【請求項２】
前記受付手段は、前記表示手段の表示画面上に積層配置されたタッチパネルによって構成されるとともに、前記所定の指定方式として、前記タッチパネルに対する長押しおよびダブルクリックの少なくともいずれかの指定方式を受け付けることを特徴とする請求項１に記載の表示装置。
【請求項３】
地図画像とともに、種々の情報や操作キーを表すオブジェクト画像を表示画面に表示する表示装置における表示制御方法であって、
前記表示画面に表示されたオブジェクト画像の指定を所定の指定方式によって外部から受け付ける受付工程と、
前記所定の指定方式によってオブジェクト画像の指定を受け付けた場合に、当該オブジェクト画像の表示部分に対応する前記地図画像を表示するように前記表示装置を制御する制御工程と、
を含むことを特徴とする表示制御方法。
【請求項４】
請求項３に記載の表示制御方法をコンピュータに実行させることを特徴とする表示制御プログラム。
【請求項５】
請求項４に記載の表示制御プログラムを記録したことを特徴とするコンピュータに読み取り可能な記録媒体。
【発明の詳細な説明】
【技術分野】
【０００１】
この発明は、表示画面上に画像を表示する表示装置、表示制御方法、表示制御プログラム、および記録媒体に関する。ただし、この発明の利用は、上述した表示装置、表示制御方法、表示制御プログラムおよび記録媒体に限られない。
【背景技術】
【０００２】
従来、目的地点までの経路案内をおこなうナビゲーション装置では、地図を表す地図画像とともに、現在地点を示すマーク、ユーザによって設定された目的地点を示すマーク、現在地点から目的地点までの間の推奨ルートを示すルート図形などを表示画面に表示する技術が広く用いられている。
【０００３】
そして、このようなナビゲーション装置においては、ユーザによって設定された目的地点が多くなると、表示画面上の目的地点が密集した地域は目的地点のマークの表示により地図の視認性が劣化するため、目的地点を示すマークをユーザが任意に選択して非表示にする技術も用いられている（たとえば、下記特許文献１参照。）。
【０００４】
【特許文献１】特開２００５−３２６１５３号公報
【発明の開示】
【発明が解決しようとする課題】
【０００５】
しかしながら、地図の視認性が劣化する原因は目的地点のマークの表示だけではない。たとえば、自動車のナビゲーション装置においては、現在地点や目的地点のマークの他、道路や交差点の名称、道路幅および目印となるランドマークなどの案内情報、渋滞情報、天気情報、操作キー、操作キーの説明情報などが表示される。
【０００６】
このように、地図画像とともに表示される情報が表示画面上で多様化すると、地図画像が繁雑となり見難いという問題が一例として挙げられる。また、ユーザが、表示画面に表示されるこれらの多様な情報を任意に選択して表示、非表示を切り替えることができないため、不要な情報を非表示にすることができないという問題が一例として挙げられる。
【課題を解決するための手段】
【０００７】
請求項１の発明にかかる表示装置は、地図画像とともに、種々の情報や操作キーを表すオブジェクト画像を表示画面に表示する表示手段と、前記表示画面に表示されたオブジェクト画像の指定を所定の指定方式によって外部から受け付ける受付手段と、前記受付手段が前記所定の指定方式によってオブジェクト画像の指定を受け付けた場合に、当該オブジェクト画像の表示部分に対応する前記地図画像を表示するように前記表示手段を制御する制御手段と、を備えることを特徴とする。
【０００８】
また、請求項３の発明にかかる表示制御方法は、地図画像とともに、種々の情報や操作キーを表すオブジェクト画像を表示画面に表示する表示装置における表示制御方法であって、前記表示画面に表示されたオブジェクト画像の指定を所定の指定方式によって外部から受け付ける受付工程と、前記所定の指定方式によってオブジェクト画像の指定を受け付けた場合に、当該オブジェクト画像の表示部分に対応する前記地図画像を表示するように前記表示装置を制御する制御工程と、を含むことを特徴とする。
【０００９】
また、請求項４の発明にかかる表示制御プログラムは、請求項３に記載の表示制御方法をコンピュータに実行させることを特徴とする。
【００１０】
また、請求項５の発明にかかるコンピュータに読み取り可能な記録媒体は、請求項４に記載の表示制御プログラムを記録したことを特徴とする。
【発明を実施するための最良の形態】
【００１１】
以下に添付図面を参照して、この発明にかかる表示装置の好適な実施の形態を詳細に説明する。
【００１２】
（実施の形態）
（表示装置の機能的構成）
まず、この発明の実施の形態にかかる表示装置の内容について説明する。図１は、この発明の実施の形態にかかる表示装置の機能的構成の一例を示すブロック図である。図１に示すように、表示装置１００は、たとえば車両（四輪車、二輪車を含む）などの移動体に搭載され、表示部１０１と、受付部１０２と、制御部１０３と、を備える構成となっている。
【００１３】
表示部１０１は、地図を表す地図画像とともに、種々の情報や操作キーを表すオブジェクト画像を表示画面に表示する。種々の情報を表すオブジェクト画像とは、具体的には、ユーザに対して情報を伝達することを目的とした各種画像をいい、たとえば、地名、現在地点、方角などを表す案内画像などが挙げられる。
【００１４】
操作キーを表すオブジェクト画像とは、具体的には、たとえばユーザが表示画面に表示された操作キーを表すオブジェクト画像を指定すると、その操作キーに割り当てられた一定の処理がこの表示装置１００またはこの表示装置１００と接続された装置によって実行されるように設定された画像をいう。
【００１５】
受付部１０２は、表示部１０１の表示画面に表示されたオブジェクト画像の指定を外部から受け付ける。この受付部１０２は、一の指定方式とは異なる所定の指定方式によって位置の指定を受け付ける。受付部１０２は、たとえば、表示部１０１の表示画面上に積層配置されたタッチパネルにより構成される。ここで、一の指定方式とは、具体的には、オブジェクト画像を単に指定する場合に用いられる通常の指定方式をいい、たとえばタッチパネル上のオブジェクト画像が表示されている部分を指で所定の時間未満押下げする指定方式（以下、「短押し」という）をいう。
【００１６】
そして、所定の指定方式とは、具体的には、オブジェクト画像を単に指定する場合に用いられる通常の指定方式とは異なる指定方式をいい、たとえばタッチパネル上のオブジェクト画像が表示されている部分を指で所定の時間以上押下げする指定方式（以下、「長押し」という）や、所定の時間以内に２度押下げする指定方式（以下、「ダブルクリック」という）をいう。
【００１７】
制御部１０３は、受付部１０２で指定されたオブジェクト画像の表示部分に対応する地図画像を表示するように表示部１０１を制御する。オブジェクト画像の表示部分に対応する地図画像を表示するように表示部１０１を制御するとは、具体的には、オブジェクト画像が表示されていることによって視認性が劣化している地図画像の部分の視認性が向上するように表示部１０１を制御することをいい、たとえばこのオブジェクト画像を非表示、透明表示、点滅表示にしたり、元にあった位置から移動させて表示することなどが挙げられる。
【００１８】
また、制御部１０３は、受付部１０２が上述した所定の指定方式によって指定を受け付けた場合にこの制御をおこなう。一方、制御部１０３は、たとえば受付部１０２が上述した一の指定方式によって操作キーを表すオブジェクト画像の指定を受け付けた場合には、この表示装置１００またはこの表示装置１００と接続された装置に対して、この操作キーに割り当てられた一定の処理を実行させるように制御する。
【００１９】
（表示装置の処理の手順）
つぎに、この発明の実施の形態にかかる表示装置の表示制御処理の手順について説明する。図２は、この発明の実施の形態にかかる表示装置の処理の手順の一例を示すフローチャートである。
【００２０】
図２に示すように、まず、表示部１０１（図１参照、以下同じ）によって、地図画像とともに、種々の情報や操作キーを表すオブジェクト画像を表示する（ステップＳ２０１）。つぎに、受付部１０２（図１参照、以下同じ）によってユーザからオブジェクト画像の指定を受け付けたか否かを判断する（ステップＳ２０２）。指定を受け付けなかった場合は、指定を受け付けるのを待つ（ステップＳ２０２：Ｎｏ）。
【００２１】
ステップＳ２０２で、オブジェクト画像の指定を受け付けた場合（ステップＳ２０２：Ｙｅｓ）は、制御部１０３（図１参照、以下同じ）によって、この指定の方式が所定の指定方式であったか否かを判断する（ステップＳ２０３）。指定の方式が所定の指定方式でなかった場合（ステップＳ２０３：Ｎｏ）は、再度ステップＳ２０２に戻って処理を続行する。指定の方式が所定の指定方式であった場合（ステップＳ２０３：Ｙｅｓ）は、表示部１０２によって、指定されたオブジェクト画像の表示部分に対応する地図画像を表示し（ステップＳ２０４）、本フローチャートによる一連の処理を終了する。
【００２２】
以上説明したように、この発明の実施の形態にかかる表示装置１００によれば、オブジェクト画像が表示されることによって視認性が劣化している表示画面上の地図画像の部分について、ユーザの任意な操作により、視認性を向上させることが可能となる。
【００２３】
つぎに、この発明の実施の形態にかかる実施例について詳細に説明する。ここでは、この実施の形態にかかる表示装置１００を車両に搭載されたナビゲーション装置に適用した場合を例示して説明する。
【実施例】
【００２４】
（ナビゲーション装置のハードウェア構成）
まず、この発明にかかるナビゲーション装置のハードウェア構成について説明する。図３は、この発明の実施例にかかるナビゲーション装置のハードウェア構成の一例を示すブロック図である。
【００２５】
図３に示すように、ナビゲーション装置３００は車両に搭載されており、ＣＰＵ３０１と、ＲＯＭ３０２と、ＲＡＭ３０３と、ＨＤＤ（ハードディスクドライブ）３０４と、ＨＤ（ハードディスク）３０５と、ＤＶＤドライブ３０６と、着脱可能な記録媒体の一例としてのＤＶＤ３０７と、音声・映像Ｉ／Ｆ（インタフェース）３０８と、スピーカ３０９と、ディスプレイ（またはタッチパネル）３１０と、入力Ｉ／Ｆ（インタフェース）３１１と、入力キー３１２と、リモコン３１３と、通信Ｉ／Ｆ（インタフェース）３１４と、ＧＰＳレシーバ３１５と、各種センサ３１６と、を備えて構成されている。また、各構成部３０１〜３１６は、バス３２０によってそれぞれ接続されている。
【００２６】
ＣＰＵ３０１は、たとえば所定の演算処理を実行し、ナビゲーション装置３００全体の制御を司る。ＲＯＭ３０２は、たとえばブートプログラムなどの、いわゆる固定的データを記録している。ここでは、ＲＯＭ３０２は、具体的にはナビゲーション装置３００の基本処理プログラムを記録している。ＲＡＭ３０３は、いわゆる可変的データを書き換え自在に記録し、ＣＰＵ３０１のワークエリアとして使用される。
【００２７】
ＨＤＤ３０４は、ＣＰＵ３０１の制御にしたがってＨＤ３０５に対するデータの読み取り／書き込み（リード／ライト）の制御をおこなう。ＨＤ３０５には、ＨＤＤ３０４の制御で書き込まれたデータが記録される。ＨＤ３０５には、具体的には、たとえばナビゲーションで用いる地図画像を作成するための情報である地図データと、地図画像とともに表示するための種々の情報や操作キーについての情報が記録される。また、ＨＤ３０５には、たとえばナビゲーションの機能を実現するための動作に必要な各種プログラムデータが記録される。
【００２８】
ここで、ＨＤ３０５に記録された地図データとは、たとえば建物、河川、地表面などの地物（フィーチャ）を表す背景データと、道路の形状を表す道路形状データとを有している。この地図データに基づいて、後述するディスプレイ（またはタッチパネル）３１０において２次元的あるいは３次元的に、地図画像が表示される。
【００２９】
背景データは、背景の形状を表す背景形状データと、背景の種別を表す背景種別データとを有する。背景形状データは、たとえば地表の代表点、ポリライン、ポリゴン、地物などの座標を示すデータを含む。背景種別データは、たとえば建物や河川などの地物の種別を示す種別データなどを含む。
【００３０】
また、道路形状データは、複数のノードおよびリンクを有する道路ネットワークに関するデータである。ノードは、三叉路、十字路、五叉路などの複数の道路が交差する交差点を示すデータである。リンクは、各ノード間を連結する道路を示すデータである。このリンクには、曲線道路の表現を可能とする形状補完点を有するものもある。
【００３１】
また、道路形状データは、交通条件データを有する。この交通条件データは、交差点の特徴、各リンクの長さ（距離）、車幅、進行方向、通行禁止、道路種別などを示すデータである。交差点の特徴としては、たとえば三叉路や五叉路などの複雑な形状の交差点、浅い角度で道路が分岐する形状の交差点、目的地点周辺の交差点、高速道路の出入口やジャンクション、経路逸脱率の高い交差点などが挙げられる。なお、経路逸脱率は、たとえば車両の過去の走行履歴から算出することが可能である。そして、道路種別としては、たとえば高速道路、有料道路、一般道路などが挙げられる。
【００３２】
また、ＨＤ３０５に記録された、地図画像とともに表示するための種々の情報とは、具体的には、たとえば道路や交差点の名称、道路幅および目印となるランドマークなどの案内情報、渋滞情報、天気情報、操作キー、操作キーの説明情報などである。また、ＨＤ３０５に記録された、地図画像とともに表示するための操作キーとは、具体的には、たとえばユーザが画面のスクロール、目的地の設定や変更、オーディオの操作などの操作をおこなうために表示画面に表示されるキーをいう。地図画像とともに表示するための操作キーについての情報とは、表示画面に表示される操作キーの画像や、この画像が指定された場合の処理などに関する情報をいう。
【００３３】
ＤＶＤドライブ３０６は、ＣＰＵ３０１の制御にしたがってＤＶＤ３０７に対するデータの読み取り／書き込み（リード／ライト）の制御をおこなう。ＤＶＤ３０７には、ＤＶＤドライブ３０６の制御で書き込まれたデータが記録されると共に、ＤＶＤドライブ３０６の制御にしたがって記録されたデータが読み出される形態の書き込み可能かつ着脱可能な記録媒体である。
【００３４】
なお、着脱可能な記録媒体としては、上記ＤＶＤ３０７の他に、たとえばＣＤ−ＲＯＭ（ＣＤ−Ｒ、ＣＤ−ＲＷ）、ＭＯ（Ｍａｇｎｅｔ−Ｏｐｔｉｃａｌ  ｄｉｓｋ）、メモリカードなどの各種記録媒体を利用することもできる。これらの記録媒体に記録されたデータの読み出しが可能な専用のドライブ装置などが、ＤＶＤドライブ３０６に代えて、あるいはＤＶＤドライブ３０６とともに適宜用いられるとよい。
【００３５】
音声・映像Ｉ／Ｆ３０８は、音声出力用のスピーカ３０９およびディスプレイ３１０に接続される。音声や映像の制御をおこなうため、具体的には、たとえば、音声データや画像データが一時的に記録されるバッファメモリと、スピーカ３０９の音声出力やディスプレイ３１０での画像表示を制御する制御ＩＣやＧＰＵ（Ｇｒａｐｈｉｃｓ  Ｐｒｏｃｅｓｓｉｎｇ  Ｕｎｉｔ）などを含んで構成される。
【００３６】
スピーカ３０９は、ナビゲーションの案内音などの音声を出力する。ディスプレイ３１０には、アイコン、カーソル、メニュー、ウィンドウあるいは文字や画像などの各種情報が表示される。このディスプレイ３１０は、たとえば、ＣＲＴ（Ｃａｔｈｏｄｅ  Ｒａｙ  Ｔｕｂｅ）、ＴＦＴ（Ｔｈｉｎ  Ｆｉｌｍ  Ｔｒａｎｓｉｓｔｏｒ）液晶ディスプレイ、有機ＥＬ（Ｅｌｅｃｔｒｏｌｕｍｉｎｅｓｃｅｎｃｅ）ディスプレイ、プラズマディスプレイなどの各種ディスプレイを採用することができる。
【００３７】
また、ディスプレイ３１０がタッチパネルの場合は、後述する入力Ｉ／Ｆ３１１と接続され、タッチパネルの押下げ／非押下げを検出して入力Ｉ／Ｆ３１１に情報を入力する。この場合、タッチパネルは、たとえばディスプレイ３１０上に積層して構成される。
【００３８】
そして、入力Ｉ／Ｆ３１１を介してＣＰＵ３０１が、ディスプレイ３１０における画像などの表示タイミングと、タッチパネルに対するユーザの操作タイミングおよびその位置座標とを管理することによって、入力操作により入力された情報を認識する。なお、このタッチパネルとしては、抵抗膜式、感圧式などの公知の各種タッチパネルを採用することができる。
【００３９】
入力Ｉ／Ｆ３１１は、たとえば入力キー３１２や、入力キー３１２の一部または全部を備えたリモコン３１３から送信される、文字、数値、各種指示などのユーザによって入力操作された情報をＣＰＵ３０１に対して出力する。入力キー３１２は、たとえば物理的な押下げ／非押下げを検出する押しボタン式スイッチ、キーボード、ジョイスティック、トラックボール、マウスおよびナビゲーション装置３００に備えられた入力ボタン類などの公知の各種形態によって、あるいはこれらの組み合わせによって構成され、その機能を実現する。
【００４０】
なお、入力キー３１２に代えて、あるいは入力キー３１２とともに、たとえば外部からの音声を入力するマイクロフォンなどを採用し、音声によって入力操作をおこなうことができる形態を用いてもよい。リモコン３１３は、ナビゲーション装置３００と離間した位置から情報を入力Ｉ／Ｆ３１１に対して送信する。
【００４１】
また、上述したように、たとえばディスプレイ３１０に積層配置されたタッチパネルを採用し、タッチパネルから情報を入力Ｉ／Ｆ３１１に入力することができる構成にすれば、入力キー３１２の形態を大型化することなく、多くの情報入力をおこなうことが可能となる。
【００４２】
通信Ｉ／Ｆ３１４は、たとえば、無線を介してインターネットなどの通信網３３０に接続され、この通信網３３０とＣＰＵ３０１とのインタフェースとしても機能する。通信網３３０には、ＬＡＮ（Ｌｏｃａｌ  Ａｒｅａ  Ｎｅｔｗｏｒｋ）、公衆回線網や携帯電話網などがある。
【００４３】
また、通信Ｉ／Ｆ３１４は、たとえば渋滞や交通規制などの道路交通情報を、定期的に（あるいは不定期に）受信してもよい。通信Ｉ／Ｆ３１４による道路交通情報の受信は、具体的には、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ：登録商標）センターから道路交通情報が配信されたタイミングでおこなっても、ＶＩＣＳセンターに対して定期的に道路交通情報の配信を要求することでおこなってもよい。この場合、通信Ｉ／Ｆ３１４は、たとえばＶＩＣＳ／ビーコンレシーバを備えて構成される。
【００４４】
ＧＰＳレシーバ３１５は、ＧＰＳ衛星からの電波を受信し、車両の現在地点（ナビゲーション装置３００の現在地点）を示す情報を出力する。ＧＰＳユニット３１６の出力情報は、後述する各種センサ３１６の出力値とともに、ＣＰＵ３０１による車両の現在地点の算出に際して利用される。現在地点を示す情報は、たとえば緯度・経度、高度などの、地図データ上の１点を特定する情報である。
【００４５】
各種センサ３１６は、車速センサや加速度センサ、角速度センサなどの、車両の位置や挙動を判断することが可能な情報を出力する。各種センサ３１６の出力値は、ＣＰＵ３０１による現在地点の算出や、速度や方位の変化量の測定に用いられる。
【００４６】
なお、図１における表示部１０１は、具体的には、たとえばディスプレイ（またはタッチパネル、以下「タッチパネル」という）３１０によってその機能を実現する。また、図１における受付部１０２は、具体的には、たとえばタッチパネル３１０、入力キー３１２、またはリモコン３１３によってその機能を実現する。また、図１における制御部１０３は、具体的には、たとえばＣＰＵ３０１によってその機能を実現する。
【００４７】
（ナビゲーション装置の表示制御処理概要）
つぎに、この発明の実施例にかかるナビゲーション装置の表示制御処理概要について説明する。この実施例では、地図画像とともに表示されるオブジェクト画像が操作キーである場合について説明する。図４および図５は、この発明の実施例にかかるナビゲーション装置が表示画面に表示した画像の一例を示す説明図である。図４に示すように、タッチパネル３１０には、地図を表す地図画像４０１と、操作キーを表すオブジェクト画像４０２と、が表示されている。
【００４８】
ユーザは、タッチパネル３１０上に表示された操作キーを押下げすることにより、操作キーを表すオブジェクト画像４０２を指定することができる。ただし、操作キーを表すオブジェクト画像４０２の指定方式は、上述した一の指定方式として短押しが、所定の指定方式として長押しがそれぞれ設定されている。
【００４９】
短押しで操作キーを表すオブジェクト画像４０２が指定された場合には、この操作キーに割り当てられた一定の処理が、このナビゲーション装置３００またはこのナビゲーション装置３００と接続された装置によって実行される。一方、長押しで操作キーを表すオブジェクト画像４０２が指定された場合には、図５に示すように、この操作キーを表すオブジェクト画像４０２が非表示となり、この操作キーを表すオブジェクト画像４０２に覆われていた地図画像４０１の部分が見えるようになる。
【００５０】
なお、この実施例では地図画像４０１とともに表示されるオブジェクト画像４０２が操作キーであり、この操作キーを表すオブジェクト画像４０２を非表示にする例を説明したが、オブジェクト画像４０２は操作キーの他に、現在地点や目的地点、道路や交差点の名称、道路幅および目印となるランドマークなどの案内情報、渋滞情報、天気情報、操作キーの説明情報などを表す画像であってもよい。これにより、地図画像４０１とともに表示され、地図画像４０１の視認性を劣化させるあらゆる画像について、ユーザが任意に選択して非表示とすることができる。
【００５１】
また、これらのオブジェクト画像４０２が複数表示されている場合にも、ユーザは表示されているオブジェクト画像４０２のうち不要と思うものを任意に選択して非表示とすることができる。
【００５２】
また、この実施例では、長押しによって指定された一のオブジェクト画像４０２全体を非表示にしたが、非表示にするのはオブジェクト画像４０２の一部だけでもよい。これにより、地図画像４０１上の、ユーザが見たいと思った部分のみを見えるようにしつつ、指定したオブジェクト画像４０２のうち、ユーザが非表示にしたくないと思う部分は表示させたままにしておくことができる。
【００５３】
また、この実施例では、オブジェクト画像４０２を非表示にするための所定の指定方式として長押しを挙げたが、長押しの他に、所定の時間以内に２度押下げする指定方式（以下、ダブルクリック）などでもよい。
【００５４】
また、所定の指定方式で非表示にしたオブジェクト画像４０２を再度表示する処理としては、非表示にした後所定の時間が経つと自動的に再表示されるようにすることが挙げられる。また、非表示にしたオブジェクト画像４０２を再表示するための操作キーを設けるか、オブジェクト画像４０２が表示されていた地図画像４０１上の位置を通常または所定の指定方式で指定することにより再表示するようにしてもよい。
【００５５】
また、この実施例では、所定の指定方式で指定されたオブジェクト画像４０２を非表示にするとしたが、非表示にするのではなく、透明表示にしたり、点滅表示にしたり、元の位置から移動するようにしてもよい。すなわち、地図画像の、オブジェクト画像４０２によって視認性が劣化している部分が視認可能なようになればよい。
【００５６】
また、この実施例では、受付部１０２をディスプレイ３１０に積層配置されたタッチパネルにより構成したが、受付部１０２はディスプレイ３１０に表示されるカーソルを操作するためのボタンなどであってもよい。この場合、上記の一の指定方式は、たとえばボタンを短押しする指定方式とし、所定の指定方式は、たとえばボタンを長押しまたはダブルクリックとすることが考えられる。
【００５７】
このように、この発明の実施例にかかるナビゲーション装置３００は、所定の指定方式でオブジェクト画像４０２の指定を受け付けると、このオブジェクト画像４０２の表示部分に対応する地図画像４０１を表示することができる。
【００５８】
以上説明したように、この発明にかかる表示装置、表示制御方法、表示制御プログラム、および記録媒体は、オブジェクト画像によって視認性が劣化していた地図画像の部分について、ユーザの任意な操作によって視認性を向上させることが可能となる。
【００５９】
なお、本実施の形態で説明した表示制御方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【図面の簡単な説明】
【００６０】
【図１】この発明の実施の形態にかかる表示装置の機能的構成の一例を示すブロック図である。
【図２】この発明の実施の形態にかかる表示装置の処理の手順の一例を示すフローチャートである。
【図３】この発明の実施例にかかるナビゲーション装置のハードウェア構成の一例を示すブロック図である。
【図４】この発明の実施例にかかるナビゲーション装置が表示画面に表示した画像の一例を示す説明図である。
【図５】この発明の実施例にかかるナビゲーション装置が表示画面に表示した画像の一例を示す説明図である。
【符号の説明】
【００６１】
１００  表示装置
１０１  表示部
１０２  受付部
１０３  制御部
３００  ナビゲーション装置
３０１  ＣＰＵ
３０２  ＲＯＭ
３０３  ＲＡＭ
３０４  ＨＤＤ
３０６  ＤＶＤドライブ
３０８  音声・映像Ｉ／Ｆ
３１０  ディスプレイ（タッチパネル）
３１１  入力Ｉ／Ｆ
３２０  バス
４０１  地図画像
４０２  オブジェクト画像
【図１】
2007241892.tif 000003
【図２】
2007241892.tif 000004
【図３】
2007241892.tif 000005
【図４】
2007241892.tif 000006
【図５】
2007241892.tif 000007